(57)【要約】      （修正有）【課題】平板パーツ組立て玩具を提供する。【解決手段】平面板材を、切圧機により、少なくとも１個の身体パーツ１１、少なくとも１個の肢体パーツ１２、１８、或いは１９を含む様々な形状の多数の平板パーツに成型する。身体パーツ１１上には少なくとも１個の嵌合リング１３を設置し、肢体パーツと一体に連接でき、嵌合リング１３の外側には切槽１４を設置し、嵌合リング１３のリング上には狭部分１５と広部分１６を設置する。肢体パーツ１２上には少なくとも１個の密封リング１７を設置し、或いは上記した構造と相同の少なくとも１個の嵌合リング１３を設置する。肢体パーツ１２、１９の密封リング１７は、身体パーツ１１上の嵌合リング１３外側の切槽１４より、嵌合リング１３の狭部分１５、或いは広部分１６上に嵌めて入れることができる。【選択図】図３
0003189328.tif 000002
【実用新案登録請求の範囲】
【請求項１】
平板パーツ組立て玩具は、平面板材を、切圧機により、様々な形状の多数の平板パーツに成型し、少なくとも１個の身体パーツ、少なくとも１個の肢体パーツを備え、
前記身体パーツは、身体パーツ上に設置する少なくとも１個の嵌合リングを備え、前記嵌合リングの外側には、切槽を設置し、前記嵌合リングのリング上には、狭部分と広部分を設置し、
前記肢体パーツは、肢体パーツ上に設置する少なくとも１個の密封リング、或いは前記肢体パーツ上に設置する上記した構造と相同の少なくとも１個の嵌合リングを備え、前記密封リングの内径は、前記嵌合リングの狭部分よりも大きく、前記嵌合リングの広部分よりも小さく、
前記各肢体パーツの密封リングは、前記身体パーツ上の嵌合リング外側の切槽より、前記嵌合リングの狭部分、或いは広部分上に嵌めて入れることができ、これにより、前記肢体パーツと前記身体パーツとは、一体に連接し、前記各肢体パーツの密封リングは、別の肢体パーツ上の嵌合リング外側の切槽より、前記嵌合リングの狭部分、或いは広部分上に嵌めて入れることができ、これにより前記肢体パーツと前記肢体パーツとは、一体に連接し、
前記肢体パーツの密封リングが、前記嵌合リングの狭部分位置上にある時、前記肢体パーツは、自由に動くことができ、
前記肢体パーツの密封リングが、前記嵌合リングの狭部分位置上にある時には、前記肢体パーツの角度は固定され、操作者の好みに応じて、他の角度に調整することができることを特徴とする平板パーツ組立て玩具。
【請求項２】
前記身体パーツ上には、密封リングを設置することを特徴とする請求項１に記載の平板パーツ組立て玩具。
【請求項３】
前記肢体パーツ上には、嵌合リングと密封リングを同時に設置することができることを特徴とする請求項１に記載の平板パーツ組立て玩具。
【請求項４】
前記身体パーツは、身体を備え、
前記身体の頂点端には、突出した頭部を設置し、
前記身体の上端両側には、嵌合リングを設置し、
前記身体の下端両側には、嵌合リングを設置し、
前記各嵌合リングの外側には、切槽を設置し、
前記各嵌合リングのリング上には、狭部分、広部分を設置し、
前記身体上端両側の嵌合リングには、各上腕部を嵌合して連接でき、
前記身体下端両側の嵌合リングには、各大腿部を嵌合して連接できることを特徴とする請求項１に記載の平板パーツ組立て玩具。
【請求項５】
前記身体パーツは、身体の腰部を備え、
前記頭部と前記身体との間には、嵌合リングと密封リング構造を設置することを特徴とする請求項４に記載の平板パーツ組立て玩具。
【請求項６】
前記肢体パーツは、一対の上腕部、一対の下腕部、一対の手部、一対の大腿部、一対の小腿部、一対の足部を備え、
前記一対の上腕部の両端には、密封リングを設置し、上端の密封リングは、前記身体上端の嵌合リングの切槽より、上端の嵌合リング内に嵌めて入れることができ、前記上腕部の下端の密封リングは、前記下腕部の上端の嵌合リング内に嵌めて入れることができ、
前記一対の下腕部の両端には、嵌合リングを備え、前記各嵌合リングの外側には、切槽を設置し、前記各嵌合リングのリング上には、狭部分、広部分を設置し、前記下腕部の上端の嵌合リングには、前記上腕部下端の密封リングを、前記上端の嵌合リングの切槽より、上端の嵌合リング内に嵌め入れることができ、前記下腕部の下端の嵌合リングには、前記手部の密封リングを、下端の嵌合リングの切槽より、前記下腕部の下端嵌合リング内に嵌め入れることができ、
前記一対の手部上には、密封リングを設置し、前記下腕部の下端の嵌合リング内に嵌めて入れることができ、
前記一対の大腿部両端には、密封リングを設置し、前記上端の密封リングは、前記身体下端の嵌合リングの切槽より、前記下端の嵌合リング中に嵌めて入れることができ、前記大腿部の下端の密封リングは、前記小腿部の上端の嵌合リング内に嵌めて入れることができ、
前記一対の小腿部の両端には、嵌合リングを設置し、前記各嵌合リングの外側には、切槽を設置し、前記各嵌合リングのリング上には、狭部分と広部分を設置し、前記小腿部の上端の嵌合リングは、前記大腿部の下端の密封リングに、前記上端の嵌合リングの切槽より、前記上端の嵌合リング内に嵌めて入れることができ、前記小腿部の下端の嵌合リングは、前記足部の密封リングに、前記下端の嵌合リングの切槽より、前記小腿部の下端の嵌合リング内に嵌めて入れることができ、
前記一対の足部上には、密封リングを設置し、前記小腿部の下端の嵌合リング内に嵌めて入れることができることを特徴とする請求項１或いは４に記載の平板パーツ組立て玩具。
【考案の詳細な説明】
【技術分野】
【０００１】
本考案は平板パーツ組立て玩具に関し、特に平面板材を切圧機により、様々な形状の多数の平板パーツに成型し、各平板パーツは隣接する別の平板パーツ上で自由に動くことができ、或いは隣接する平板パーツの角度を固定し、立体造形を組立て、さらに様々な姿態に調整することができる平板パーツ組立て玩具に関する。
【背景技術】
【０００２】
従来の組立て玩具は、ロボット、動物ロボットなど種類が非常に多い。組立ての面白さを高めるため、これら組立て玩具には、パーツの結合部位に、角度を変えられるコネクターが設置されている。これにより、組立て後の玩具は、外観姿態において多種の変化を備えることとなり、リアルさを向上させることができる。しかし、これにより、組立て玩具は構造が複雑になってしまう。特に、上記した角度を変えることができるコネクターパーツ部分は、製造時にコストを引き上げる要因となっている。
【０００３】
本考案は、従来の組立て玩具の上記した欠点に鑑み、廉価で組立ての面白さと変化に富んだ平板パーツ組立て玩具を提供するためになされたものである。
【考案の概要】
【考案が解決しようとする課題】
【０００４】
本考案が解決しようとする課題は、平面板材を切圧機により、様々な形状の多数の平板パーツに成型し、各平板パーツは隣接する別の平板パーツ上で自由に動くことができ、或いは隣接する平板パーツの角度を固定し、立体造形を組立て、さらに様々な姿態に調整することができる平板パーツ組立て玩具を提供することである。
【課題を解決するための手段】
【０００５】
上記課題を解決するため、本考案は下記の平板パーツ組立て玩具を提供する。
平板パーツ組立て玩具は、平面板材を、切圧機により、様々な形状の多数の平板パーツに成型し、少なくとも１個の身体パーツ、少なくとも１個の肢体パーツを備え、
該身体パーツは、身体パーツ上に設置する少なくとも１個の嵌合リングを備え、該肢体パーツと一体に連接でき、該嵌合リングの外側には、切槽を設置し、該嵌合リングのリング上には、狭部分と広部分を設置し、
該肢体パーツは、肢体パーツ上に設置する少なくとも１個の密封リング、或いは該肢体パーツ上に設置する上記した構造と相同の少なくとも１個の嵌合リングを備え、
該密封リングの内径は、該嵌合リングの狭部分よりも大きく、該嵌合リングの広部分よりも小さく、
該肢体パーツの密封リングは、該身体パーツ上の嵌合リング外側の切槽より、該嵌合リングの狭部分、或いは広部分上に嵌めて入れることができ、これにより、該肢体パーツと該身体パーツとは、一体に連接し、
該各肢体パーツの密封リングは、別の肢体パーツ上の嵌合リング外側の切槽より、該嵌合リングの狭部分、或いは広部分上に嵌めて入れることができ、これにより該肢体パーツと該肢体パーツとは、一体に連接し、
該肢体パーツの密封リングが、該嵌合リングの狭部分位置上にある時、該肢体パーツは、自由に動くことができ、
該肢体パーツの密封リングが、該嵌合リングの狭部分位置上にある時には、該肢体パーツの角度は固定され、操作者の好みに応じて、他の角度に調整することができ、
製造においては、該身体パーツ上に、密封リングを設置し、また上記した肢体パーツ上に、嵌合リングと密封リングを同時に設置し、玩具全体の組立てのバラエティを広げることができ、
多数の身体パーツと多数の肢体パーツを用いて、玩具を組み立てる時には、嵌合リングと密封リングの設計により、隣接する身体パーツと肢体パーツとの間を調整し、或いは隣接する各肢体パーツの間を調整し、違った連接角度とすることができ、
これにより、組立てを完成した玩具は、立体的な造形を構成し、様々な形態を呈することができ、こうして組立てを完成した玩具は、様々な姿態を呈し、組立ての変化と面白みを大幅に向上させることができる。
【考案の効果】
【０００６】
本考案の平板パーツ組立て玩具は、組立て玩具完成品の造形の必要に応じて、平面板材を、切圧機により様々な形状の平板パーツに成型でき、人型ロボット組立て玩具、動物形状の組立て玩具、昆虫類形状の組立て玩具など異なる外観形状の組立て玩具に組立てることができ、しかも各タイプの組立て玩具はどれも、肢体パーツを調整して違った姿態とすることができる。さらに、本考案の平板パーツ組立て玩具の各平板パーツは、平面板材を、切圧機により成型するため、材料が容易に取得でき、製造が便利で迅速で、廉価であるという効果を備える。
【図面の簡単な説明】
【０００７】
【図１】本考案平板パーツ組立て玩具の基礎パーツテンプレート図である。
【図２】本考案平板パーツ組立て玩具の基礎パーツ分解図である。
【図３】本考案平板パーツ組立て玩具の基礎パーツ組合せ模式図である。
【図４】本考案平板パーツ組立て玩具の実施形態のパーツテンプレート図である。
【図５】図４に示す平板パーツ組立て玩具のパーツ分解図である。
【図６】図４に示す平板パーツ組立て玩具の組合せ模式図である。
【図７】本考案平板パーツ組立て玩具の別種の実施形態の立体図である。
【考案を実施するための形態】
【０００８】
以下に図面を参照しながら本考案を実施するための最良の形態について詳細に説明する。図１は、本考案平板パーツ組立て玩具の基礎パーツテンプレート図である。図２は、本考案平板パーツ組立て玩具の基礎パーツ分解図である。図３は、本考案平板パーツ組立て玩具の基礎パーツ組合せ模式図である。
【０００９】
図１に示すように、平板パーツ組合せ玩具は、平面板材１０を、切圧機により、少なくとも１個の身体パーツ１１、少なくとも１個の肢体パーツ１２、１８、或いは１９を含む様々な形状の多数の平板パーツに成型する。
【００１０】
図２、３に示すように、身体パーツ１１は、身体パーツ１１上に設置する少なくとも１個の嵌合リング１３を備える。嵌合リング１３の外側には、切槽１４を設置する。嵌合リング１３のリング上には、狭部分１５と広部分１６を設置する。
【００１１】
肢体パーツ１２は、肢体パーツ１２上に設置する少なくとも１個の密封リング１７、或いは肢体パーツ１２上に設置する上記した構造と相同の少なくとも１個の嵌合リング１３を備える。図２に示す肢体パーツ１８、１９も同様である。
【００１２】
上記した密封リング１７の内径は、嵌合リング１３の狭部分１５よりも大きく、嵌合リング１３の広部分１６よりも小さい。
【００１３】
肢体パーツ１２、１９の密封リング１７は、身体パーツ１１上の嵌合リング１３外側の切槽１４より、嵌合リング１３の狭部分１５、或いは広部分１６上に嵌めて入れることができる。これにより、肢体パーツ１２、１９と身体パーツ１１とは、一体に連接する(図３参照)。
【００１４】
肢体パーツ１２、１９の密封リング１７は、別の肢体パーツ１８、１９上の嵌合リング１３外側の切槽１４より、嵌合リング１３の狭部分１５、或いは広部分１６上に嵌めて入れることができる。これにより、肢体パーツ１２、１９と肢体パーツ１８、１９とは、一体に連接する(図３参照)。
【００１５】
図３に示すように、肢体パーツ１２、１９の密封リング１７が、隣接するパーツの嵌合リング１３の狭部分１５位置上にある時、肢体パーツ１２、１９は、自由に動くことができる。肢体パーツ１２、１９の密封リング１７が、隣接するパーツの嵌合リング１３の広部分１６位置上にある時には、肢体パーツ１２、１９の角度は固定され、操作者の好みに応じて、他の角度に調整することができる。
【００１６】
実際の製造においては、身体パーツ１１上に、密封リング１７を設置し、また上記した肢体パーツ１２上に、嵌合リング１３と密封リング１７(肢体パーツ１９など)を同時に設置することができる。これにより、玩具全体の組立てのバラエティを広げることができる。
【００１７】
多数の身体パーツ１１と多数の肢体パーツ１２、１８、１９を用いて、玩具を組み立てることができ、嵌合リング１３と密封リング１７の設計により、隣接する身体パーツ１１と肢体パーツ１２、１９との間を調整し、或いは隣接する各肢体パーツ１２、１８、１９の間を調整し、違った連接角度とすることができる。これにより、組立てを完成した玩具は、立体的な造形を構成し、様々な形態を呈することができる。
【実施例】
【００１８】
以下に、本考案平板パーツ組合せ玩具の実施形態を説明する。図４は、本考案平板パーツ組立て玩具の実施形態のパーツテンプレート図である。図５は、図４に示す平板パーツ組立て玩具のパーツ分解図である。図６は、図４に示す平板パーツ組立て玩具の組合せ模式図である。
【００１９】
図４に示すように、本考案の平板パーツ組合せ玩具は、平面板材１０を、切圧機により、様々な形状の多数の平板パーツに成型する。身体パーツ１１は、身体２０を備える。肢体パーツ１２は、一対の上腕部３０、一対の下腕部４０、一対の手部５０、一対の大腿部６０、一対の小腿部７０、一対の足部８０を備える。
【００２０】
図５に示すように、身体２０は、身体２０頂点端に、設置する突出した頭部２１を備える。身体２０の上端両側には、嵌合リング２２を設置する。身体２０の下端両側には、嵌合リング２６を設置する。各嵌合リング２２、２６の外側には、切槽２３を設置する。各嵌合リング２２、２６のリング上には、狭部分２４、広部分２５を設置する。身体２０上端両側の嵌合リング２２には、各上腕部３０を嵌合して連接できる。身体２０下端両側の嵌合リング２６には、各大腿部６０を嵌合して連接できる。
【００２１】
引き続き図５に示すように、上腕部３０は、上腕部３０両端に設置する密封リング３１、３２を備える。上端の密封リング３１は、身体２０上端の嵌合リング２２の切槽２３より、上端の嵌合リング２２内に嵌めて入れることができ、上腕部３０の下端の密封リング３２は、下腕部４０の上端の嵌合リング４１内に嵌めて入れることができる。
【００２２】
図５に示すように、下腕部４０は、下腕部４０の両端に設置する嵌合リング４１、４５を備える。各嵌合リング４１、４５の外側には、切槽４２を設置する。各嵌合リング４１、４５のリング上には、狭部分４３、広部分４４を設置する。下腕部４０の上端の嵌合リング４１には、上腕部３０下端の密封リング３２を、上端の嵌合リング４１の切槽４２より、上端の嵌合リング４１内に嵌め入れることができる。下腕部４０の下端の嵌合リング４５には、手部５０の密封リング５１を、下端の嵌合リング４５の切槽４２より、下腕部４０の下端の嵌合リング４５内に嵌め入れることができる。
【００２３】
図５に示すように、手部５０は、手部５０上に設置する密封リング５１を備え、下腕部４０の下端の嵌合リング４５内に嵌めて入れることができる。
【００２４】
図５に示すように、大腿部６０は、大腿部６０両端に設置する密封リング６１、６２を備える。上端の密封リング６１は、身体２０下端の嵌合リング２６の切槽２３より、下端の嵌合リング２６中に嵌めて入れることができる。大腿部６０の下端の密封リング６２は、小腿部７０の上端の嵌合リング７１内に嵌めて入れることができる。
【００２５】
図５に示すように、小腿部７０は、小腿部７０の両端に設置する嵌合リング７１、７５を備える。各嵌合リング７１、７５の外側には、切槽７２を設置する。各嵌合リング７１、７５のリング上には、狭部分７３と広部分７４を設置する。小腿部７０の上端の嵌合リング７１は、大腿部６０の下端の密封リング６２に、上端の嵌合リング７１の切槽７２より、上端の嵌合リング７１内に嵌めて入れることができる。小腿部７０の下端の嵌合リング７５は、足部８０の密封リング８１に、下端の嵌合リング７５の切槽７２より、小腿部７０の下端の嵌合リング７５内に嵌めて入れることができる。
【００２６】
図５に示すように、足部８０は、足部８０上に設置する密封リング８１を備え、小腿部７０の下端の嵌合リング７５内に嵌めて入れることができる。
【００２７】
上記した身体２０に設置する嵌合リング２２、２６、下腕部４０に設置する嵌合リング４１、４５、小腿部７０に設置する嵌合リング７１、７５の構造は相同で、しかも各嵌合リングのリング上には、上記した狭部分と広部分を設置する。
【００２８】
上記した上腕部３０に設置する密封リング３１、３２、手部５０の密封リング５１、大腿部６０に設置する密封リング６１、６２、足部８０の密封リング８１の構造は相同で、しかも各密封リングの内径は、各嵌合リングの狭部分より大きく、各嵌合リングの広部分より小さい。
【００２９】
各平板パーツと隣接する平板パーツとは、平板パーツ上の嵌合リングと密封リングとの嵌合を利用し、一体に連接することができる。これにより、人型玩具を組み立てることができる(図６参照)。
【００３０】
上記した狭部分と広部分の設計により、平板パーツの密封リングが、共に狭部分の位置にある時、組み立てた人型玩具の腕と腿の各パーツは、吊り下げた骸骨模型のように自由に動かすことができる。
【００３１】
平板パーツの密封リングが、狭部分の位置にあれば、平板パーツは、一定の角度に固定することができる。
【００３２】
操作者は、各平板パーツを調整することができる。これにより、密封リングは、狭部分の位置で様々な角度に固定され、人型玩具は、立体的な外観を呈することができ、しかも様々な姿態で立つことができる(図６参照)。
【００３３】
図４〜６に示すように、平板パーツ組立て玩具の実施形態において、身体２０の腰部、及び頭部２１と身体２０との間には、関連する嵌合リングと密封リング構造を設置する。  これにより、人型玩具の外観姿態は、より多様な変化を備えるようになる。
【００３４】
図４〜６に示すように、平板パーツ組立て玩具の実施形態においては、本考案を人型玩具に組み立てる実施形態についてのみ説明する。本考案は、組立て玩具の造形のニーズに基づき、平面板材１０を、切圧機で様々な形状に製造することができる。その際にも、嵌合リングと密封リングの構造は相同の平板パーツであり、それにより各種異なるタイプの玩具を組み立てることができる。例えば、図７に示すように動物形状の組立て玩具、昆虫類形状の組立て玩具、或いは他の各種ロボット形状の組立て玩具などとすることができる。
【００３５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３７】
１０  平面板材
１１  身体パーツ
１２  肢体パーツ
１３  嵌合リング
１４  切槽
１５  狭部分
１６  広部分
１７  密封リング
１８  肢体パーツ
１９  肢体パーツ
２０  身体
２１  頭部
２２  嵌合リング
２３  切槽
２４  狭部分
２５  広部分
２６  嵌合リング
３０  上腕部
３１  密封リング
３２  密封リング
４０  下腕部
４１  嵌合リング
４２  切槽
４３  狭部分
４４  広部分
４５  嵌合リング
５０  手部
５１  密封リング
６０  大腿部
６１  密封リング
６２  密封リング
７０  小腿部
７１  嵌合リング
７２  切槽
７４  広部分
７５  嵌合リング
８０  足部
８１  密封リング
【図１】
0003189328.tif 000003
【図２】
0003189328.tif 000004
【図３】
0003189328.tif 000005
【図４】
0003189328.tif 000006
【図５】
0003189328.tif 000007
【図６】
0003189328.tif 000008
【図７】
0003189328.tif 000009